(57)【要約】  布製フィルタバッグ（３２）の清掃から布製フィルタバッグ（３２）のダストケーキ形成までの期間を含めて、汚染ガスを濾過して粒子状物質の含有量が比較的少ない浄化ガスを実現するのに役立つ布製フィルタシステム（２６）。そのような目的のために、主題の布製フィルタシステム（２６）は、特に布製フィルタバッグ（３２）の清掃から布製フィルタバッグ（３２）のダストケーキ形成までの期間中の比較的遅い汚染ガス速度のために、布製フィルタシステム（２６）を通る汚染ガス速度を制御するための汚染ガス流ダンパシステム（１００）を備える。【選択図】図１
2020520791.tif 000002
【特許請求の範囲】
【請求項１】
１つ以上の布製フィルタチャンバ（３０）を含み、各布製フィルタチャンバ（３０）が複数の布製フィルタバッグ（３２）と、１つ以上の可動ダンパパネル（１０２）を備えた入口（１０４）または１つ以上の可動ダンパパネル（１０２）を備えた出口（１０６）と、１つ以上の布製フィルタバッグ（３２）のダストケーキ形成（ＤＣ）の測定値に基づいて前記１つ以上の可動ダンパパネル（１０２）の位置決めに影響を与えるように動作する制御装置（５６）とを含み、ここで前記制御装置（５６）は、前記複数の布製フィルタバッグ（３２）の清掃から前記複数の布製フィルタバッグ（３２）の外面（３２Ｂ）上のダストケーキ形成（ＤＣ）までの期間に前記１つ以上の布製フィルタチャンバ（３０）を通って流れる５ｍ／時間〜５０ｍ／時間の汚染ガス（ＰＧ）速度を達成するために、前記１つ以上のダンパパネル（１０２）を比較的閉じた位置に位置決めするように構成され、ここで前記１つ以上の布製フィルタバッグ（３２）のダストケーキ形成（ＤＣ）の測定値は、１つ以上の圧力センサ（５８）、１つ以上の温度センサ（６０）、前記１つ以上の布製フィルタチャンバ（３０）内、特に前記複数の布製フィルタバッグ（３２）の上流または下流に配置された１つ以上のセンサ（５８、６０）によって測定されるか、または前回ダストケーキを除去してから経過した時間の長さを測定するタイマー（５７）によって測定され、ここで前記制御装置（５６）は、前記複数の布製フィルタバッグ（３２）の外面（３２Ｂ）上のダストケーキ形成（ＤＣ）から前記複数の布製フィルタバッグ（３２）の清掃までの期間に前記１つ以上の布製フィルタチャンバ（３０）を通って流れる５０ｍ／時間〜１３０ｍ／時間の汚染ガス（ＰＧ）速度を達成するために、前記１つ以上のダンパパネル（１０２）を比較的開いた位置に位置決めするようにさらに構成されている、布製フィルタシステム（２６）
を含むプラント（１０）。
【請求項２】
ダストケーキ形成（ＤＣ）が、粒子状物質（ＰＭ）によるフィルタバッグ（３２）表面の完全で非散発的な被覆と定義される、請求項１に記載のプラント（１０）。
【請求項３】
前記制御装置（５６）は、前記入口（１０４）から前記出口（１０６）まで前記１つ以上の布製フィルタチャンバ（３０）を通って流れる汚染ガス（ＰＧ）の速度を制御するために、前記１つ以上のダンパパネル（１０２）の位置決めに影響を与える、請求項１乃至２のいずれか１項に記載のプラント（１０）。
【請求項４】
前記１つ以上のダンパパネル（１０２）は、前記複数の布製フィルタバッグ（３２）の清掃中に前記１つ以上の布製フィルタチャンバ（３０）を通って流れるほぼゼロの汚染ガス（ＰＧ）速度のために閉位置に位置決めされる、請求項１乃至３のいずれか１項に記載のプラント（１０）。
【請求項５】
１つ以上の布製フィルタチャンバ（３０）を含み、各布製フィルタチャンバ（３０）が複数の布製フィルタバッグ（３２）と、１つ以上の可動ダンパパネル（１０２）を備えた入口（１０４）および出口（１０６）とを含む、布製フィルタシステム（２６）を備えることと、
１つ以上の布製フィルタバッグ（３２）のダストケーキ形成（ＤＣ）の測定値に基づいて前記１つ以上の可動ダンパパネル（１０２）を位置決めする制御装置（５６）を使用して制御することであって、ここで前記１つ以上のダンパパネル（１０２）は、前記複数の布製フィルタバッグ（３２）の清掃から前記複数の布製フィルタバッグ（３２）の外面（３２Ｂ）上のダストケーキ形成（ＤＣ）までの期間に前記１つ以上の布製フィルタチャンバ（３０）を通って流れる５ｍ／時間〜５０ｍ／時間の汚染ガス（ＰＧ）速度を達成するために比較的閉じた位置に位置決めされ、前記複数の布製フィルタバッグ（３２）の清掃中に前記１つ以上の布製フィルタチャンバ（３０）を通って流れるゼロの汚染ガス（ＰＧ）速度のために閉位置に位置決めされる、制御することとを含み、ここで前記１つ以上の布製フィルタバッグ（３２）のダストケーキ形成（ＤＣ）の測定値は、１つ以上の圧力センサ（５８）または１つ以上の温度センサ（６０）によって、前記１つ以上の布製フィルタチャンバ（３０）内、特に前記複数の布製フィルタバッグ（３２）の上流または下流に配置された１つ以上のセンサ（５８、６０）によって、またはダストケーキの前回の除去から経過した時間の長さを測定するタイマー（５７）によって測定され、ここで前記制御装置（５６）は、前記複数の布製フィルタバッグ（３２）の外面（３２Ｂ）上のダストケーキ形成（ＤＣ）から前記複数の布製フィルタバッグ（３２）の清掃までの期間に前記１つ以上の布製フィルタチャンバ（３０）を通って流れる５０ｍ／時間〜１３０ｍ／時間の汚染ガス（ＰＧ）速度を達成するために、前記１つ以上のダンパパネル（１０２）を比較的開いた位置に位置決めするようにさらに構成されている、方法。
【請求項６】
ダストケーキ形成（ＤＣ）が、粒子状物質によるフィルタバッグ（３２）表面の完全で非散発的な被覆と定義される、請求項５に記載の方法。
【請求項７】
前記制御装置（５６）は、前記入口（１０４）から前記出口（１０６）まで前記１つ以上の布製フィルタチャンバ（３０）を通って流れる汚染ガス（ＰＧ）の速度を制御するために、前記１つ以上のダンパパネル（１０２）の位置決めに影響を与える、請求項５乃至６のいずれか１項に記載の方法。
【請求項８】
ダストケーキの除去のタイミングが、前記測定値に基づいて前記制御装置（５６）によって決定される、それぞれ請求項１乃至４または請求項５乃至７のいずれか１項に記載のプラント（１０）または方法。
【請求項９】
前記制御装置（５６）は、１つ以上の布製フィルタバッグ（３２）のダストケーキ形成（ＤＣ）の測定値に基づいて前記１つ以上のダンパパネル（１０２）の位置決めに影響を与えるように動作する、それぞれ請求項１乃至４または請求項５乃至７のいずれか１項に記載のプラント（１０）または方法。
【請求項１０】
前記１つ以上のダンパパネル（１０２）は、前記複数の布製フィルタバッグ（３２）の清掃から前記複数の布製フィルタバッグ（３２）の外面（３２Ｂ）上のダストケーキ形成（ＤＣ）までの期間に前記１つ以上の布製フィルタチャンバ（３０）を通って流れる約１０ｍ／時〜約４０ｍ／時の汚染ガス（ＰＧ）速度を達成するために比較的閉じた位置に位置決めされるか、または
前記１つ以上のダンパパネル（１０２）は、前記複数の布製フィルタバッグ（３２）の外面（３２Ｂ）上のダストケーキ形成（ＤＣ）から前記複数の布製フィルタバッグ（３２）の清掃までの期間に前記１つ以上の布製フィルタチャンバ（３０）を通って流れる約４０ｍ／時〜約１２０ｍ／時の汚染ガス（ＰＧ）速度のために比較的開いた位置に位置決めされる、
それぞれ請求項１乃至４または請求項５乃至７のいずれか１項に記載のプラント（１０）または方法。
【発明の詳細な説明】
【技術分野】
【０００１】
本開示は、一般に、汚染ガスを濾過して粒子状物質含有量の比較的少ない濾過ガスを実現するのに有用な布製フィルタシステムに関する。より具体的には、本開示は、フィルタバッグの清掃からフィルタバッグ表面上のダストケーキ形成までの期間を含めて、汚染ガスを濾過して粒子状物質含有量が比較的少ない濾過ガスを実現するのに有用な布製フィルタシステムに関する。
【背景技術】
【０００２】
市販の「バッグハウス」タイプのフィルタ設備は、通常、複数の並列フィルタユニットで構成されている。そのような各フィルタユニットは、フィルタバッグの形で垂直に配置されたフィルタ要素を複数の平行な列で含む。このようなフィルタバッグの各々には上端開口部がある。粒子状物質で汚染されたガスは、フィルタバッグを通過して濾過され、ガス中に同伴された粒子状物質が捕集される。したがって、濾過およびガス中に同伴された粒子状物質の捕集により、「浄化ガス」が生成される。より具体的には、この浄化ガスは、汚染ガスをフィルタ設備内に流し、１つ以上のフィルタユニットを通過させることにより生成され、フィルタユニットは、フィルタバッグ外面からフィルタバッグの側面を通る流路を介してフィルタバッグ内部領域に至る汚染ガス流のための複数のフィルタバッグを含む。汚染ガスがフィルタバッグ外面からフィルタバッグ内の内部領域を通過する際、ガス中に同伴された粒子状汚染物質は濾過され、捕集されて複数のフィルタバッグの外面にダストケーキを形成する。したがって、フィルタバッグの内部領域のガスは、そのように生成された浄化ガスである。浄化ガスは、複数のフィルタバッグのそれぞれの上端開口部を介してフィルタバッグの内部領域から出る。浄化ガスは、上端開口部からフィルタユニットに共通の出口ダクトを通って流れる。フィルタ設備の運転中、通常、フィルタ設備の下流に配置されたファンによって負圧が発生し、フィルタユニットとフィルタバッグを通るガス流を引き起こす。
【０００３】
上記のように、汚染ガス中に同伴される粉塵、微粒子、および粒子状汚染物質などはフィルタバッグ外面で濾過され、捕集され、したがって外面にダストケーキが形成される。効果的かつ効率的な機器の性能を得るためには、フィルタバッグを清掃してダストケーキを除去する必要がある。フィルタバッグの清掃は、一般的にガスフィルタとは反対の方向でフィルタバッグに噴射される圧縮空気パルスの形の圧力媒体を使用して行われる。フィルタバッグの列は、そのような所定の列ごとに配置された清掃ユニットを使用して連続的に清掃される。清掃ユニットは、所定の列の各フィルタバッグにほぼ同時に送られる圧縮空気パルスを生成することにより、フィルタバッグの列を清掃する。より具体的には、各清掃ユニットは、清掃するために関連する列のフィルタバッグの上に配置され、関連する列のフィルタバッグの長さを延長するノズルパイプを含む。各ノズルパイプには、典型的には垂直かつ下向きに突出する複数のパイプソケットが接続されている。各パイプソケットは、関連する列内のフィルタバッグの上端開口部の真上に配置される。これらのパイプソケットの機能は、ノズルを介して圧縮空気パルスをそれぞれのフィルタバッグの上端開口部に導くことである。パイプソケットは通常、関連するノズルの直径よりも約１．５〜２倍大きい直径を有する。関連するノズルは、典型的には、ノズルパイプに形成された様々な直径の円形の穴で構成される。ノズルパイプに沿った円形の穴の様々な直径は、パイプソケット／ノズルの総数に基づいて経験的に決定され、パイプソケット／ノズルを通してパルス化された圧縮空気の均一な分布を必要とする。そのため、ノズルパイプに配置された円形の穴は、ノズルパイプ入口からの円形の穴の距離に応じて、直径が小さくなったり大きくなったりする。円形の穴の直径をそのように変えることにより、パイプのソケット／ノズルを通してパルス化された圧縮空気の均一な分布が達成される。
【０００４】
圧縮空気のパルスを使用したフィルタバッグの清掃では、バルブを一時的に開いて、圧縮空気タンクまたは圧力容器とノズルパイプとの間に流体の流れを確立する。圧縮空気タンクまたは圧力容器とノズルとの間を流体が流れると、圧縮空気がノズルパイプとそれに関連するパイプソケットおよびノズルを介してパルス化する。このようにして、フィルタバッグの関連する列の各フィルタバッグに圧縮空気パルスが供給される。フィルタバッグに供給された圧縮空気パルスは、フィルタバッグの中や壁に集まって固まった粒子状物質を取り除く。それにより、フィルタバッグ上に形成されたダストケーキは、フィルタバッグの内部領域からフィルタバッグの側壁を通りその外部のフィルタユニットの領域に至る圧縮空気の流れによってほぐれる。結果として生じるほぐれたダストケーキは、フィルタバッグの外側から落ち、ホッパで捕集される。
【０００５】
このようなフィルタバッグの清掃後、外部表面にダストケーキのないフィルタバッグは、外部表面にダストケーキのある同一のフィルタバッグに比べて粒子状物質の捕捉または捕集の効果が比較的低くなる。外面にダストケーキのないフィルタバッグで粒子状物質の濾過または捕集の効果が比較的低いことは、清浄なガスにおける粒子状物質の排出が比較的多いことを意味し、これは望ましくない。そのため、フィルタバッグ外面のダストケーキは、ダストケーキの厚さが増加しフィルタバッグを通る適切なガス流を妨げてフィルタ設備内の圧力降下を引き起こすまでは、粒子状物質の捕集に役立つ。フィルタバッグの清掃からフィルタバッグ表面のダストケーキ形成までの期間中に粒子状物質の排出が比較的多い問題に対する解決策が必要である。
【先行技術文献】
【特許文献】
【０００６】
【特許文献１】韓国公開特許第２０１５００３７１８６（Ａ）号公報
【発明の概要】
【０００７】
本明細書では、上記を考慮して、粒子状物質の排出が比較的少ない布製フィルタシステムを開示する。また、本明細書では、フィルタバッグの清掃からフィルタバッグ表面上のダストケーキ形成までの期間を含めて、効果的に粒子状物質を捕集するために粒子状物質の排出が比較的少ない主題の布製フィルタシステムを使用する方法を開示する。本開示の目的のために、「ダストケーキ形成」は、本明細書では、粒子状物質によるフィルタバッグ表面の完全で非散発的な被覆と定義される。したがって、主題の布製フィルタシステムは、フィルタバッグの清掃からフィルタバッグ表面のダストケーキ形成までの期間中に各布製フィルタチャンバを通るガスの流速を制御するために各布製フィルタチャンバの入口および／または各布製フィルタチャンバの出口に配置されたガス流ダンパシステムを含む。外面にダストケーキが形成されていないフィルタバッグで比較的遅いガス速度で濾過する場合の粒子状物質の捕捉または捕集の効果は、外面にダストケーキが形成された同一のフィルタバッグで比較的速いガス速度で濾過する場合と同じくらいであることが予想外に発見された。したがって、ガス流ダンパシステムを備えた主題の布製フィルタシステムでは、布製フィルタバッグの外面にダストケーキが形成されている場合と、フィルタバッグの清掃からフィルタバッグ表面のダストケーキ形成までの期間の両方で、効果的な比較的少ない粒子状物質の排出が実現する。布製フィルタバッグの外面にダストケーキが形成されている場合と、フィルタバッグの清掃からフィルタバッグ表面のダストケーキ形成までの期間の両方で、粒子状物質の比較的少ない排出を実現することにより、特にフィルタバッグの清掃からフィルタバッグ表面のダストケーキ形成までの期間中に粒子状物質の排出が比較的多いフィルタの設置を大幅に改善する。
【０００８】
主題の布製フィルタシステムは、各布製フィルタチャンバの入口および／または各布製フィルタチャンバの出口に配置されて各布製フィルタチャンバを通るガスの流速を制御するガス流ダンパシステムを含む。典型的には、布製フィルタシステムは、２〜２０個以上の布製フィルタチャンバを含み得る。各布製フィルタチャンバには、１０〜１００個以上の吊り下げ式布製フィルタバッグを備えることができる。１つ以上の布製フィルタチャンバにバッグの清掃、メンテナンス、低需要による停止などを行う際に残りの布製フィルタチャンバが動作を続けられるように、布製フィルタシステムは複数の布製フィルタチャンバを含む。ガス流ダンパシステムを備えた主題の布製フィルタシステムの一実施形態によれば、各布製フィルタチャンバの入口および／または各布製フィルタチャンバの出口に配置された可動ダンパパネルは、特にフィルタバッグの清掃から布製フィルタチャンバ内のフィルタバッグ表面のダストケーキ形成までの期間中に、布製フィルタチャンバを通るガスの速度を制御するように調整可能である。可動ダンパパネルは、手動または機械的に調整されてもよい。機械的に調整される場合、ダンパパネルの調整は自動化され、制御装置によって生成される電子信号の影響を受けてもよい。そのような場合、制御装置は、捕集された粒子状物質または布製フィルタバッグの外面に形成されたダストケーキの除去のタイミングを決定する。制御装置は、例えば、タイマーによって測定された前回の除去から経過した時間の特定の長さ、布製フィルタバッグの上流および／または下流で布製フィルタチャンバ内に配置された１つ以上の圧力センサによって測定された布製フィルタチャンバを通る煙道ガス流の特定の圧力降下、および／または布製フィルタバッグの上流および／または下流で布製フィルタチャンバ内に配置された１つ以上の温度センサによって測定された特定の温度降下の所定値との比較に基づいて、そのような除去のタイミングを決定する。時間の長さ、圧力降下および／または温度降下の所定値は、例えばインターフェースを介してなど、制御装置にプログラムされるか、または制御装置に受信される。時間の所定値に対応する時間の長さが経過すると、制御装置は、１つ以上の布製フィルタチャンバの清掃を電子的に通知する。１つ以上の布製フィルタチャンバの清掃後、１つ以上の清掃済み布製フィルタチャンバの動作前に、制御装置は、１つ以上の清掃済み布製フィルタチャンバのダンパパネルの調整に電子的に影響を与え、ガスの速度に影響を与えて、汚染ガスの粒子状物質低排出濾過に有効な１つ以上の清掃済み布製フィルタチャンバを通る約５ｍ／時間〜約５０ｍ／時間、または約１０ｍ／時間〜約４０ｍ／時間のガス速度を達成する。代替的または追加的に、圧力の所定値から逸脱する圧力降下を測定すると、制御装置は、１つ以上の布製フィルタチャンバの清掃を電子的に通知する。１つ以上の布製フィルタチャンバの清掃後、１つ以上の清掃済み布製フィルタチャンバの動作前に、制御装置は、１つ以上の清掃済み布製フィルタチャンバのダンパパネルの調整に電子的に影響を与え、ガスの速度に影響を与えて、汚染ガスの粒子状物質低排出濾過に有効な１つ以上の清掃済み布製フィルタチャンバを通る約５ｍ／時間〜約５０ｍ／時間、または約１０ｍ／時間〜約４０ｍ／時間のガス速度を達成する。代替的または追加的に、温度の所定値から逸脱する温度降下を測定すると、制御装置は、１つ以上の布製フィルタチャンバの清掃を電子的に通知する。１つ以上の布製フィルタチャンバの清掃後、１つ以上の清掃済み布製フィルタチャンバの動作前に、制御装置は、１つ以上の清掃済み布製フィルタチャンバのダンパパネルの調整に電子的に影響を与え、ガスの速度に影響を与えて、汚染ガスの粒子状物質低排出濾過に有効な１つ以上の清掃済み布製フィルタチャンバを通る約５ｍ／時間〜約５０ｍ／時間、または約１０ｍ／時間〜約４０ｍ／時間のガス速度を達成する。制御装置は、パルスバルブの動作に電子的に影響を与えることにより、１つ以上の布製フィルタチャンバの清掃を電子的に通知し、結果として、ノズルパイプを通り、流体接続ノズルを通り、布製フィルタチャンバ内の個々の布製フィルタバッグに流れ込む加圧ガスの短いパルスを生成する。そのような加圧ガスのパルスの効果として、布製フィルタバッグは急速に膨張し、布製フィルタバッグの外面上に捕集された粒子状物質またはダストケーキを全部ではないにしても大部分そこから放出させる。そのような清掃の後、ダンパパネルは手動または機械的に調整されてもよい。機械的に調整される場合、ダンパパネルの調整は自動化され、制御装置によって生成される電子信号の影響を受けてもよい。自動ダンパパネルは、２つの異なる位置、すなわち布製フィルタバッグのダストケーキ形成なしで使用されて約５ｍ／時間〜約５０ｍ／時間、または約１０ｍ／時間〜約４０ｍ／時間のガス速度を達成するための比較的遅いガス速度の位置と、布製フィルタバッグにダストケーキが形成された状態で使用されて約４０ｍ／時間〜約１２０ｍ／時間、または約５０ｍ／時間〜約１３０ｍ／時間のガス速度を達成するための比較的速いガス速度の位置との間で調整することができる。あるいは、自動ダンパパネルは、フィルタバッグのダストケーキ形成が厚くなるにつれて、布製フィルタバッグのダストケーキ形成なしで使用される比較的遅いガス速度の位置から、布製フィルタバッグにダストケーキが形成された状態で使用される比較的速いガス速度の位置までの範囲の任意の位置に連続的または断続的に調整することができる。布製フィルタバッグのダストケーキ形成のそのような肥厚化は、例えば、時間、圧力降下および／または温度降下などによって測定することができる。このような布製フィルタバッグのダストケーキの測定値に基づいて、自動ダンパパネルは、布製フィルタバッグのダストケーキ形成なしで使用される比較的遅いガス速度の位置から、布製フィルタバッグにダストケーキが形成された状態で使用される比較的速いガス速度の位置までの範囲の任意の位置に連続的または断続的に調整される。
【０００９】
粒子状物質の排出が比較的少ない布製フィルタシステムを使用する主題の方法は、各布製フィルタチャンバを通るガスの流速を制御するために、各布製フィルタチャンバの入口および／または各布製フィルタチャンバの出口に配置されたガス流ダンパシステムを有する布製フィルタシステムを備えることを含む。主題の方法によれば、布製フィルタシステムは、２〜２０以上の布製フィルタチャンバを含み得る。各布製フィルタチャンバには、１０〜１００個以上の吊り下げ式布製フィルタバッグを備えることができる。１つ以上の布製フィルタチャンバにバッグの清掃、メンテナンス、低需要による停止などを行う際に残りの布製フィルタチャンバが動作を続けられるように、布製フィルタシステムは複数の布製フィルタチャンバを含む。主題の方法の一実施形態によれば、この方法は、ガス流ダンパシステムを有する布製フィルタシステムを備えることを含み、ガス流ダンパシステムは、各布製フィルタチャンバの入口および／または各布製フィルタチャンバの出口に配置された可動ダンパパネルを含み、可動ダンパパネルは、特にフィルタバッグの清掃から布製フィルタチャンバ内のフィルタバッグ表面のダストケーキ形成までの期間中に、布製フィルタチャンバを通るガスの速度を制御するように調整可能である。可動ダンパパネルは、手動または機械的に調整されてもよい。機械的に調整される場合、ダンパパネルの調整は自動化され、制御装置によって生成される電子信号の影響を受けてもよい。そのような場合、制御装置は、布製フィルタバッグの外面上に捕集された粒子状物質またはダストケーキ形成の除去のタイミングを決定する。制御装置は、例えば、タイマーによって測定された前回の除去から経過した時間の特定の長さ、布製フィルタバッグの上流および／または下流で布製フィルタチャンバ内に配置された１つ以上の圧力センサによって測定された布製フィルタチャンバを通る煙道ガス流の特定の圧力降下、および／または布製フィルタバッグの上流および／または下流で布製フィルタチャンバ内に配置された１つ以上の温度センサによって測定された特定の温度降下の所定値との比較に基づいて、そのような除去のタイミングを決定する。時間の長さ、圧力降下および／または温度降下の所定値は、例えばインターフェースを介してなど、制御装置にプログラムされるか、または制御装置に受信される。時間の所定値に対応する時間の長さが経過すると、制御装置は、１つ以上の布製フィルタチャンバの清掃を電子的に通知する。１つ以上の布製フィルタチャンバの清掃後、１つ以上の清掃済み布製フィルタチャンバを動作させる前に、制御装置は、１つ以上の清掃済み布製フィルタチャンバのダンパパネルの調整に電子的に影響を与え、ガス速度に影響を与えて、汚染ガスの粒子状物質低排出濾過に有効な１つ以上の清掃済み布製フィルタチャンバを通る約５ｍ／時間〜約５０ｍ／時間、または約１０ｍ／時間〜約４０ｍ／時間のガス速度を達成する。代替的または追加的に、圧力の所定値から逸脱する圧力降下を測定すると、制御装置は、１つ以上の布製フィルタチャンバの清掃を電子的に通知する。１つ以上の布製フィルタチャンバの清掃後、１つ以上の清掃済み布製フィルタチャンバを動作させる前に、制御装置は、１つ以上の清掃済み布製フィルタチャンバのダンパパネルの調整に電子的に影響を与え、ガス速度に影響を与えて、汚染ガスの粒子状物質低排出濾過に有効な１つ以上の清掃済み布製フィルタチャンバを通る約５ｍ／時間〜約５０ｍ／時間、または約１０ｍ／時間〜約４０ｍ／時間のガス速度を達成する。代替的または追加的に、温度の所定値から逸脱する温度降下を測定すると、制御装置は、１つ以上の布製フィルタチャンバの清掃を電子的に通知する。１つ以上の布製フィルタチャンバの清掃後、１つ以上の清掃済み布製フィルタチャンバを動作させる前に、制御装置は、１つ以上の清掃済み布製フィルタチャンバのダンパパネルの調整に電子的に影響を与え、ガス速度に影響を与えて、汚染ガスの粒子状物質低排出濾過に有効な１つ以上の清掃済み布製フィルタチャンバを通る約５ｍ／時間〜約５０ｍ／時間、または約１０ｍ／時間〜約４０ｍ／時間のガス速度を達成する。制御装置は、パルスバルブの動作に電子的に影響を与えることにより、１つ以上の布製フィルタチャンバの清掃を電子的に通知し、結果として、ノズルパイプを通り、流体接続ノズルを通り、布製フィルタチャンバ内の個々の布製フィルタバッグに流れ込む加圧ガスの短いパルスを生成する。このような加圧ガスのパルスの効果として、布製フィルタバッグは急速に膨張し、布製フィルタバッグの外面上の捕集された粒子状物質またはダストケーキは全部ではないにしても大部分そこから放出される。そのような清掃の後、ダンパパネルは手動または機械的に調整されてもよい。機械的に調整される場合、ダンパパネルの調整は自動化され、制御装置によって生成される電子信号の影響を受けてもよい。自動ダンパパネルは、２つの異なる位置、すなわち布製フィルタバッグのダストケーキ形成なしで使用されて約５ｍ／時間〜約５０ｍ／時間、または約１０ｍ／時間〜約４０ｍ／時間のガス速度を達成するための比較的遅いガス速度の位置と、布製フィルタバッグにダストケーキが形成された状態で使用されて約４０ｍ／時間〜約１２０ｍ／時間、または約５０ｍ／時間〜約１３０ｍ／時間のガス速度を達成するための比較的速いガス速度の位置との間で調整することができる。あるいは、自動ダンパパネルは、フィルタバッグのダストケーキ形成が厚くなるにつれて、布製フィルタバッグのダストケーキ形成なしで使用される比較的遅いガス速度の位置から、布製フィルタバッグにダストケーキが形成された状態で使用される比較的速いガス速度の位置までの範囲の任意の位置に連続的または断続的に調整することができる。布製フィルタバッグのダストケーキ形成のそのような肥厚化は、例えば、時間、圧力降下および／または温度降下などによって測定することができる。このような布製フィルタバッグのダストケーキ形成の測定値に基づいて、自動ダンパパネルは、布製フィルタバッグのダストケーキ形成がない状態で使用される比較的遅いガス速度の位置から、布製フィルタバッグにダストケーキが形成された状態で使用される比較的速いガス速度の位置までの範囲の任意の位置に連続的または断続的に調整される。
【００１０】
要約すると、１つ以上の布製フィルタチャンバを含み、各布製フィルタチャンバが複数の布製フィルタバッグと、１つ以上の可動ダンパパネルを備えた入口または１つ以上の可動ダンパパネルを備えた出口と、１つ以上の布製フィルタバッグのダストケーキ形成の測定値に少なくとも部分的に基づいて１つ以上のダンパパネルの位置決めに影響を与えるように動作する制御装置とを含む、布製フィルタシステムを含むプラントが提供される。したがって、１つ以上の布製フィルタバッグのダストケーキ形成の測定値は、タイマー、１つ以上の圧力センサ、または１つ以上の温度センサによって測定される。１つ以上の布製フィルタバッグのダストケーキ形成の測定値は、複数の布製フィルタバッグの上流および／または下流で１つ以上の布製フィルタチャンバ内に配置された１つ以上のセンサによって測定される。布製フィルタシステムの制御装置は、入口から出口まで１つ以上の布製フィルタチャンバを通って流れる汚染ガスの速度を制御するための１つ以上のダンパパネルの位置決めに影響を与える。したがって、１つ以上のダンパパネルは、複数の布製フィルタバッグの清掃から複数の布製フィルタバッグの外面上にダストケーキが形成されるまでの期間に１つ以上の布製フィルタチャンバを通って流れる約５ｍ／時〜約５０ｍ／時、または約１０ｍ／時〜約４０ｍ／時の汚染ガス速度を達成するために比較的閉じた位置に位置決めされる。さらに、１つ以上のダンパパネルは、複数の布製フィルタバッグの外面上のダストケーキ形成から複数の布製フィルタバッグの清掃までの期間に１つ以上の布製フィルタチャンバを通って流れる約４０ｍ／時〜約１２０ｍ／時、または約５０ｍ／時〜約１３０ｍ／時の汚染ガス速度を達成するために比較的開いた位置に位置決めされる。１つ以上のダンパパネルは、複数の布製フィルタバッグの清掃中に１つ以上の布製フィルタチャンバを通って流れるほぼゼロの汚染ガス速度のために閉位置に位置決めされる。
【００１１】
要約すると、汚染ガスを浄化するためにプラント布製フィルタシステムを使用して、生成された浄化ガス中の比較的低い粒子状物質排出を実現する方法が提供される。この方法は、１つ以上の布製フィルタチャンバを含み、各布製フィルタチャンバが複数の布製フィルタバッグ、１つ以上の可動ダンパパネルを有する入口および出口を含む布製フィルタシステムを備えることと、１つ以上の布製フィルタバッグのダストケーキ形成の測定値に少なくとも部分的に基づいて１つ以上のダンパパネルを位置決めする制御装置を使用して制御することとを含む。そのような方法によれば、１つ以上の布製フィルタバッグのダストケーキ形成の測定値は、タイマー、１つ以上の圧力センサまたは１つ以上の温度センサによって測定される。１つ以上の布製フィルタバッグのダストケーキ形成の測定値は、複数の布製フィルタバッグの上流および／または下流で１つ以上の布製フィルタチャンバ内に配置された１つ以上のセンサによって測定される。布製フィルタシステムの制御装置は、入口から出口まで１つ以上の布製フィルタチャンバを通って流れる汚染ガスの速度を制御するための１つ以上のダンパパネルの位置決めに影響を与える。したがって、１つ以上のダンパパネルは、複数の布製フィルタバッグの清掃から複数の布製フィルタバッグの外面上にダストケーキが形成されるまでの期間に１つ以上の布製フィルタチャンバを通って流れる約５ｍ／時〜約５０ｍ／時、または約１０ｍ／時〜約４０ｍ／時の汚染ガス速度を達成するために比較的閉じた位置に位置決めされ、複数の布製フィルタバッグの清掃中に１つ以上の布製フィルタチャンバを通って流れるほぼゼロの汚染ガス速度を達成するために閉位置に位置決めされる。さらに、１つ以上のダンパパネルは、複数の布製フィルタバッグの外面上のダストケーキ形成から複数の布製フィルタバッグの清掃までの期間に１つ以上の布製フィルタチャンバを通って流れる約４０ｍ／時〜約１２０ｍ／時、または約５０ｍ／時〜約１３０ｍ／時の汚染ガス速度を達成するために比較的開いた位置に位置決めされる。
【００１２】
ここで、添付の図面を参照して、本開示をより詳細に説明する。
【図面の簡単な説明】
【００１３】
【図１】本開示による粒子捕集装置を備えたプラントの概略側面断面図である。
【発明を実施するための形態】
【００１４】
図１を参照すると、作動中に汚染ガスＰＧが発生する発電所または工業プラントなどのプラント１０が開示されている。限定ではなく例示の目的のためのそのようなプラント１０の例は、作動中に汚染ガスＰＧが発生する蒸気生成ボイラーユニットなどの燃焼ユニット１２を含む発電所である。燃焼ユニット１２には、少なくとも１種の酸素含有ガスＯ、例えば空気、Ｏ２ガス、またはＯ２ガスを含むガスが、ガス供給部１４から流体接続供給管１４Ａを介して供給されてもよい。同様に、燃焼ユニット１２には、燃料供給部１６から流体接続燃料ダクト１６Ａを介して炭素質燃料Ｆが供給され、燃焼ユニット１２内に供給された少なくとも１種の酸素含有ガスＯの存在下で燃料Ｆを燃焼させる。燃焼ユニット１２に供給される燃料Ｆは、好ましくは、例えば石炭、石油または天然ガスなどの化石燃料である。蒸気に加えて、汚染ガスＰＧは、燃焼ユニット１２内の燃料Ｆの燃焼の際に生成される。燃料Ｆの燃焼によって生成された蒸気は、発電に使用するためのタービン（図示せず）に搬送することができ、あるいは、例えば地域暖房、燃焼ユニット１２の予熱などの他の用途に使用することができる。燃料Ｆの燃焼によって生成される汚染ガスＰＧは、例えば硫黄酸化物（ＳＯｘ）や塩化水素（ＨＣｌ）などであるが限定されない酸性ガス、灰、重金属、塵などの粒子を含む。燃焼ユニット１２で生成された汚染ガスＰＧは、燃焼ユニット１２の内部領域１２Ｂから、流体接続導管１２Ａを通って乾燥煙道ガス脱硫ＤＦＧＤシステム１８に流入する。ＤＦＧＤシステム１８は、例えば、米国特許第５，８８７，９７３号に詳細に記載されているような分配装置（図示せず）を備えた縦型リアクターＤＦＧＤシステムとすることができる。あるいは、ＤＦＧＤシステム１８は、噴霧乾燥吸収装置ＤＦＧＤシステムであってもよい。明確にするために、本明細書では、ＤＦＧＤシステム１８を単に噴霧乾燥吸収装置ＤＦＧＤシステムとして説明するが、煙道ガス脱硫を実現するために他のタイプのＤＦＧＤシステムを使用してもよい。ＤＦＧＤシステム１８は複数のアトマイザ２０を備え、それは例えば２〜１０個のアトマイザ２０であり得るが、より好ましくは４〜５個のアトマイザ２０であり得る。主題のＤＦＧＤシステム２０に適したアトマイザ２０の例は、米国ケンタッキー州アーランガーにあるＧＥ−Ｐｏｗｅｒから市販されている回転モデルアトマイザである。代替的に、同様のタイプの他の市販のアトマイザ２０、例えば２メディアノズルアトマイザまたは複数の２メディアノズルを備えたランスを同様に主題のＤＦＧＤシステム１８で利用することができる。各アトマイザ２０は、試薬供給源２２から供給される石灰石および／または石灰などの試薬Ｒから生成される試薬スラリーＲＳと、液体供給源２４からダクト２２Ａを介して供給される水などの液体Ｌとを受け取るように配置および流体接続される。アトマイザ２０は、そこを流れる汚染ガスＰＧとの混合接触のために、ＤＦＧＤシステム１８内に試薬スラリーＲＳを分散させる。汚染ガスＰＧと接触すると、試薬スラリーＲＳは汚染ガスＰＧ中の不純物と反応し、それにより、乾燥粉末反応生成物ＲＰおよび不純物含有量が低減された汚染ガスＰＧが生成される。汚染ガスＰＧが試薬スラリーＲＳと接触すると、汚染ガスＰＧに生成される乾燥粉末反応生成物ＲＰは、汚染ガスＰＧに大部分同伴される。同伴された乾燥粉末反応生成物ＲＰを含む汚染ガスＰＧは、ＤＦＧＤシステム１８からダクト１８Ａを介して流体接続された布製フィルタシステム２６に流れる。
【００１５】
布製フィルタシステム２６は、少なくとも２つの布製フィルタチャンバ３０を備えたハウジング２８を含む。少なくとも２つの布製フィルタチャンバ３０は、例えば２〜２０個の布製フィルタチャンバ３０であり得るが、より好ましくは６〜１０個の布製フィルタチャンバ３０であり得る。図１に概略的に示す布製フィルタシステム２６は、３つの布製フィルタチャンバ３０を含む。布製フィルタチャンバ３０は、長さが約６メートル（約１９フィート）〜約１２メートル（約４０フィート）であるが、最も典型的には約１０メートル（約３３フィート）の複数の吊り下げ式布製フィルタバッグ３２を収容する寸法である。しかし、明確にするために、図１では、各布製フィルタチャンバ３０には単一の布製フィルタバッグ３２のみが示されている。同伴された乾燥粉末反応生成物ＲＰと、以下で個別におよび集合的に「粒子状物質」ＰＭと呼ぶ灰や塵などの他の粒子とを含む汚染ガスＰＧは、ＤＦＧＤシステム１８からダクト１８Ａを介して流出する。したがって、粒子状物質ＰＭを同伴した汚染ガスＰＧは、ＤＦＧＤシステム１８からダクト１８Ａを介して流出し、流体接続された布製フィルタシステム２６に流れ込む。ハウジング２８の底部３４で、各布製フィルタチャンバ３０の下には、出口３６Ａを備えたホッパ３６がある。ハウジング２８の内部領域２８Ａ内には、複数の開口部４０を有する水平板３８がある。吊り下げ式布製フィルタバッグ３２は、水平板３８の開口部４０に取り外し可能に取り付けられている。典型的には、布製フィルタチャンバ３０は、各々が布製フィルタバッグ３２を備えた２〜２０，０００個のそのような開口部４０を含むことができる。作動中、粒子状物質ＰＭを同伴した汚染ガスＰＧは、布製フィルタバッグ３２の布３２Ａに流れる。同伴された粒子状物質ＰＭの大部分は、布製フィルタバッグ３２の布３２Ａを通過せず、むしろ布３２Ａの外面３２Ｂ上で捕集されるか固まる。汚染ガスＰＧは、布製フィルタバッグ３２の布３２Ａを通過し、それによって浄化された煙道ガスＣＧが生成された後、水平板３８の開口部４０を通過して、水平板３８の上のハウジング２８の内部領域２８Ａの「清浄な」上部４２に入る。浄化された煙道ガスＣＧは、上部４２からダクト４４を通って、流体接続されたスタック４６に流れ、環境に放出される。
【００１６】
粒子状物質ＰＭは、布製フィルタバッグ３２の外面３２Ｂ上で捕集されるか固まり、これを本明細書ではダストケーキ形成ＤＣと呼ぶ。本開示の目的のために、「ダストケーキ形成ＤＣ」は本明細書では、粒子状物質ＰＭによる布製フィルタバッグ３２の外面３２Ｂの完全な非散発的な被覆として定義される。適切な布製フィルタシステム２６の動作のために、そのようなダストケーキ形成ＤＣは時々除去する必要がある。布製フィルタシステム２６は、捕集されたまたは固まった粒子状物質ＰＭまたはダストケーキ形成ＤＣを布製フィルタバッグ３２の外面３２Ｂから除去するように備えられている。捕集されたまたは固まった粒子状物質ＰＭまたはダストケーキ形成ＤＣを除去するために、ノズルパイプ４８がハウジング２８の上部４２に配置されている。各ノズルパイプ４８には、取り外し可能に取り付けられた布製フィルタバッグ３２を備えた開口部４０と整列したパルスノズル５０が設けられている。各ノズルパイプ４８は、圧縮ガスタンクまたは圧力容器５４に流体接続されたパルスバルブ５２に流体接続されている。圧縮ガスタンクまたは圧力容器５４は、典型的には、約１０ｐｓｉ〜約１４５ｐｓｉ、または約６０ｐｓｉの絶対圧力を有し、加圧ガスＧ（空気、二酸化炭素、または他の比較的低コストのガスなど）の周期的な爆風で布製フィルタバッグ３２の外面３２Ｂを清掃するのに適している。これらの加圧ガスＧの周期的な爆発は、捕集されたまたは固まった粒子状物質ＰＭまたはダストケーキ形成ＤＣを布製フィルタバッグ３２の外面３２Ｂから除去するために、手動で制御するか、制御装置５６により電子制御することができる。布製フィルタバッグ３２の清掃を電子制御するために、布製フィルタシステム２６の所定の動作パラメータ、例えば所定の時間値、圧力値および／または温度値が、例えばインターフェース７７を介して、制御装置５６に受信される。したがって、制御装置５６は、タイマー５７によって測定した時間間隔測定値と所定の時間値との比較、開口部４０、入口１０４および／または布製フィルタチャンバ３０内のどこかに配置された１つ以上の圧力センサ５８によって測定し煙道ガスＦＧ流圧力の測定値と所定の圧力値との比較、および／または、開口部４０、入口１０４および／または布製フィルタチャンバ３０内のどこかで１つ以上の温度センサ６０によって測定した温度測定値と所定の温度値との比較に少なくとも部分的に基づいて、布製フィルタバッグ３２の外面３２Ｂからの捕集されたまたは固まった粒子状物質ＰＭまたはダストケーキ形成ＤＣの定期的な除去に影響を与えることができる。例えば、タイマー５７により送信され、制御装置５６により受信された時間間隔測定値が所定の時間値よりも小さい場合、制御装置５６で実行されるソフトウェアは電子信号を生成しない。制御装置５６が受信した時間間隔測定値が所定の時間値以上である場合、制御装置５６で実行されるソフトウェアは、パルスバルブ５２に影響を与える電子信号を生成し、短時間、典型的には１５０〜５００ｍｓの間「開き」、それにより、布製フィルタバッグ３２の捕集された／固まった粒子状物質ＰＭ／ダストケーキ形成ＤＣを清掃する。オプションとして、タイマー５７は制御装置５６内に配置されるか、図示のように制御装置５６の外側に配置することができ、その場合、時間間隔測定値はタイマー５７によって電子的に送信され、制御装置５６によって受信される。別の例として、１つ以上の圧力センサ５８が送信し制御装置５６が受信した圧力測定値が所定の圧力値よりも大きい場合、制御装置５６で実行されるソフトウェアは電子信号を生成しない。制御装置５６が受信した圧力測定値が、所定の圧力値以下であり望ましくない圧力降下を示す場合、制御装置５６で実行されるソフトウェアは、パルスバルブ５２に影響を与える電子信号を生成し、パルスバルブ５２を短期間、典型的には１５０〜５００ｍｓの間「開き」、それにより、布製フィルタバッグ３２の捕集された／固まった粒子状物質ＰＭ／ダストケーキ形成ＤＣを清掃する。同様に、１つ以上の温度センサ６０により送信され、制御装置５６により受信された温度測定値が所定の温度値よりも高い場合、制御装置５６で実行されるソフトウェアは電子信号を生成しない。制御装置５６が受信した温度測定値が、所定の温度値以下であり煙道ガスＦＧ流の望ましくない減少を示す場合、制御装置５６で実行されるソフトウェアは、パルスバルブ５２に影響を与える電子信号を生成して短期間、典型的には１５０〜５００ｍｓの間「開き」、それにより、布製フィルタバッグ３２の捕集された／固まった粒子状物質ＰＭ／ダストケーキ形成ＤＣを清掃する。
【００１７】
本明細書に記載の短時間のパルスバルブ５２の開放は、ノズルパイプ４８を通り、流体接続されたパルスノズル５０を通り、開口部４０を通って布製フィルタバッグ３２に流れ込む加圧ガスＧの短いパルスをもたらす。このような加圧ガスＧのパルスの効果として、布製フィルタバッグ３２は急速に膨張し、布製フィルタバッグ３２の外面３２Ｂ上の捕集されたまたは固まった粒子状物質ＰＭ／ダストケーキ形成ＤＣは全部ではないにしても大部分放出される。放出された粒子状物質ＰＭ／ダストケーキ形成ＤＣは、分離された物質ＳＭとして布製フィルタチャンバ３０のホッパ３６に下向きに落ちる。時折、ホッパ３６に集められた分離された物質ＳＭは、出口３６Ａから取り出されて環境保全的な方法で廃棄されるか、出口３６Ａから取り出されてプラント１０内の他の場所で使用される。
【００１８】
主題の布製フィルタシステム２６は、各布製フィルタチャンバ３０を通る煙道ガスＦＧ流速を制御するために各布製フィルタチャンバ３０の入口１０４および／または各布製フィルタチャンバ３０の出口１０６に配置された１つ以上の可動ダンパパネル１０２を有するガス流ダンパシステム１００を含む。１つ以上の布製フィルタチャンバ３０に布製フィルタバッグ３２の清掃、メンテナンス、低需要による停止などを行う際に残りの布製フィルタチャンバ３０が動作を続けられるように、布製フィルタシステム２６は複数の布製フィルタチャンバ３０を含む。主題の布製フィルタシステム２６は、各布製フィルタチャンバ３０の入口１０４および／または各布製フィルタチャンバ３０の出口１０６に配置された１つ以上の可動ダンパパネル１０２を含むガス流ダンパシステム１００を備えている。１つ以上の可動ダンパパネル１０２は、特に布製フィルタバッグ３２の清掃から布製フィルタチャンバ３０内の布製フィルタバッグ３２の外面３２Ｂ上のダストケーキ形成ＤＣまでの期間中、各布製フィルタチャンバ３０を通るガスの速度を制御するように調整可能である。１つ以上の可動ダンパパネル１０２は、手動または機械的に調整することができる。１つ以上の可動ダンパパネル１０２は、スライド、折り畳み、スイング、または他のそのような動作により移動または再配置され得る。機械的に調整、移動または再配置される場合、１つ以上の可動ダンパパネル１０２の調整は自動化され、制御装置５６によって生成される電子信号の影響を受けてもよい。そのような場合、制御装置５６は、布製フィルタバッグ３２の外面３２Ｂ上の捕集された粒子状物質ＰＭ／ダストケーキ形成ＤＣの除去のタイミングを決定する。制御装置５６は、例えば、タイマー５７によって測定された粒子状物質ＰＭ／ダストケーキ形成ＤＣの前回の除去から経過した時間の特定の長さ、布製フィルタバッグ３２の上流および／または下流で布製フィルタチャンバ３０内に配置された１つ以上の圧力センサ５８によって測定された布製フィルタチャンバ３０を通る汚染ガスＰＧ流の特定の圧力降下、および／または布製フィルタバッグ３２の上流および／または下流で布製フィルタチャンバ３０内に配置された１つ以上の温度センサ６０によって測定された特定の温度降下の所定値との比較に基づいて、そのような除去のタイミングを決定する。時間の長さ、圧力降下および／または温度降下の所定値は、例えばインターフェース７７を介してなど、制御装置５６にプログラムされるか、または制御装置５６に受信される。時間の所定値に対応する時間の長さが経過すると、制御装置５６は、１つ以上の布製フィルタチャンバ３０の清掃を電子的に通知する。１つ以上の布製フィルタチャンバ３０の清掃後、１つ以上の清掃済み布製フィルタチャンバ３０の動作前に、制御装置５６は、１つ以上の清掃済み布製フィルタチャンバ３０の１つ以上のダンパパネル１０２の調整に電子的に影響を与え、ガス速度に影響を与えて、汚染ガスＰＧの粒子状物質ＰＭ低排出濾過に有効な１つ以上の清掃済み布製フィルタチャンバ３０を通る約５ｍ／時間〜約５０ｍ／時間、または約１０ｍ／時間〜約４０ｍ／時間のガス速度を達成する。代替的または追加的に、圧力の所定値から逸脱する圧力降下を測定すると、制御装置５６は、１つ以上の布製フィルタチャンバ３０の清掃を電子的に通知する。１つ以上の布製フィルタチャンバ３０の清掃後、１つ以上の清掃済み布製フィルタチャンバ３０の動作前に、制御装置５６は、１つ以上の清掃済み布製フィルタチャンバ３０の１つ以上のダンパパネル１０２の調整に電子的に影響を与え、ガス速度に影響を与えて、汚染ガスＰＧの粒子状物質ＰＭ低排出濾過に有効な１つ以上の清掃済み布製フィルタチャンバ３０を通る約５ｍ／時間〜約５０ｍ／時間、または約１０ｍ／時間〜約４０ｍ／時間のガス速度を達成する。代替的または追加的に、温度の所定値から逸脱する温度降下を測定すると、制御装置５６は、１つ以上の布製フィルタチャンバ３０の清掃を電子的に通知する。１つ以上の布製フィルタチャンバ３０の清掃後、１つ以上の清掃済み布製フィルタチャンバ３０の動作前に、制御装置５６は、１つ以上の清掃済み布製フィルタチャンバ３０の１つ以上のダンパパネル１０２の調整に電子的に影響を与え、ガス速度に影響を与えて、汚染ガスＰＧの粒子状物質ＰＭ低排出濾過に有効な１つ以上の清掃済み布製フィルタチャンバ３０を通る約５ｍ／時間〜約５０ｍ／時間、または約１０ｍ／時間〜約４０ｍ／時間のガス速度を達成する。制御装置５６は、パルスバルブ５２の動作に電子的に影響を与えることにより１つ以上の布製フィルタチャンバ３０の清掃を電子的に通知し、結果として、ノズルパイプ４８を通り、流体接続されたパルスノズル５０を通り、布製フィルタチャンバ３０内の個々の布製フィルタバッグ３２に流れ込む加圧ガスＧの短いパルスを生成する。このような加圧ガスＧのパルスの効果として、布製フィルタバッグ３２は急速に膨張し、布製フィルタバッグ３２の外面３２Ｂ上の捕集された粒子状物質ＰＭまたはダストケーキ形成ＤＣは、全部ではないにしても大部分そこから放出され、分離された物質ＳＭとしてホッパ３６に捕集される。そのような清掃の後、１つ以上のダンパパネル１０２は、手動または機械的に調整される。機械的に調整される場合、１つ以上のダンパパネル１０２の調整は自動化され、制御装置５６によって生成される電子信号の影響を受けてもよい。自動化された１つ以上のダンパパネル１０２は、２つの異なる位置、すなわち、布製フィルタバッグ３２のダストケーキ形成ＤＣがない状態で使用されて約５ｍ／時間〜約５０ｍ／時間、または約１０ｍ／時間〜約４０ｍ／時間のガス速度を達成するための比較的遅いガス速度の位置と、布製フィルタバッグ３２のダストケーキ形成ＤＣがある状態で使用されて約４０ｍ／時間〜約１２０ｍ／時間、または約５０ｍ／時間〜約１３０ｍ／時間のガス速度を達成するための比較的速いガス速度の位置との間で調製され得る。あるいは、１つ以上の自動ダンパパネル１０２は、布製フィルタバッグ３２のダストケーキ形成ＤＣがない状態で使用されて約５ｍ／時間〜約５０ｍ／時間、または約１０ｍ／時間〜約４０ｍ／時間のガス速度を達成するための比較的遅いガス速度の位置から、布製フィルタバッグ３２のダストケーキ形成ＤＣがある状態で使用されて約４０ｍ／時間〜約１２０ｍ／時間、または約５０ｍ／時間〜約１３０ｍ／時間のガス速度を達成するための比較的速いガス速度の位置までの範囲の任意の位置に、布製フィルタバッグ３２のダストケーキ形成ＤＣが厚くなるにつれて、連続的または断続的に調整されてもよい。布製フィルタバッグ３２のダストケーキ形成ＤＣのそのような肥厚は、例えば時間により、圧力降下により、および／または温度降下により測定することができる。そのような布製フィルタバッグ３２のダストケーキ形成ＤＣの測定値に基づいて、１つ以上の自動ダンパパネル１０２は、布製フィルタバッグ３２のダストケーキ形成ＤＣがない状態で使用されて約５ｍ／時間〜約５０ｍ／時間、または約１０ｍ／時間〜約４０ｍ／時間のガス速度を達成するための比較的遅いガス速度の位置から、布製フィルタバッグ３２にダストケーキ形成ＤＣがある状態で使用されて約４０ｍ／時間〜約１２０ｍ／時間、または約５０ｍ／時間〜約１３０ｍ／時間のガス速度を達成するための比較的速いガス速度の位置までの範囲の任意の位置に連続的または断続的に調整される。
【００１９】
主題の布製フィルタシステム２６によれば、制御装置５６は布製フィルタチャンバ３０の清掃に影響を与え、１つ以上のダンパパネル１０２の位置決めに影響を与える。布製フィルタチャンバ３０の清掃から布製フィルタバッグ３２のダストケーキ形成ＤＣまでの期間、入口１０４および／または出口１０６の１つ以上のダンパパネル１０２は、布製フィルタチャンバ３０を通る約５ｍ／時間〜約５０ｍ／時間、または約１０ｍ／時間〜約４０ｍ／時間の比較的遅い汚染ガスＰＧ流速を達成するために、比較的閉じた位置に位置決めされる。汚染ガスＰＧ流速が比較的遅い場合、外面３２Ｂのダストケーキ形成ＤＣがない布製フィルタバッグ３２は、約４０ｍ／時間〜約１２０ｍ／時間、または約５０ｍ／時間〜約１３０ｍ／時間の比較的速い汚染ガスＰＧ流速で外面３２Ｂのダストケーキ形成ＤＣがある布製フィルタバッグ３２と同じくらい、汚染ガスＰＧから粒子状物質ＰＭを分離するのに効果的である。ダストケーキ形成ＤＣが布製フィルタバッグ３２の外面３２Ｂ上に構築または厚くなるにつれて、１つ以上のダンパパネル１０２を比較的より開いた位置に徐々に再配置して、布製フィルタチャンバ３０を通る汚染ガスＰＧ流速を速めることができる。あるいは、ダストケーキ形成ＤＣが布製フィルタバッグ３２の外面３２Ｂ上に構築または厚くなると、１つ以上のダンパパネル１０２を比較的閉じた位置から比較的開いた位置に直接再配置して、布製フィルタチャンバ３０を通る汚染ガスＰＧ流速を速めることができる。布製フィルタバッグ３２の外面３２Ｂ上にダストケーキ形成ＤＣがない布製フィルタチャンバ３０を通る汚染ガスＰＧ流速は、約５ｍ／時〜約５０ｍ／時、または約１０ｍ／時〜約４０ｍ／時である。布製フィルタバッグ３２の外面３２Ｂ上のダストケーキ形成ＤＣから、布製フィルタチャンバ３０の清掃を必要とする望ましくないほど厚いダストケーキ形成ＤＣによる圧力降下までに布製フィルタチャンバ３０を通る汚染ガスＰＧ流速は、約４０ｍ／時間〜１２０ｍ／時間、または約５０ｍ／時間〜約１３０ｍ／時間である。さらに、１つ以上のダンパパネル１０２は、布製フィルタチャンバ３０の清掃またはメンテナンスなどの目的で、完全に閉じた位置に位置決めされてもよい。
【００２０】
粒子状物質ＰＭの排出が比較的少ない布製フィルタシステム２６を使用する主題の方法は、各布製フィルタチャンバ３０を通る汚染ガスＰＧ流速を制御するために、各布製フィルタチャンバ３０の入口１０４および／または各布製フィルタチャンバ３０の出口１０６に配置された１つ以上の可動ダンパパネル１０２を含むガス流ダンパシステム１００を有する布製フィルタシステム２６を備えることを含む。主題の方法によれば、布製フィルタシステム２６は、２〜２０個以上の布製フィルタチャンバ３０を含むことができる。各布製フィルタチャンバ３０には、１０〜１００個以上の吊り下げ式布製フィルタバッグ３２を備えることができる。１つ以上の布製フィルタチャンバ３０に布製フィルタバッグ３２の清掃、メンテナンス、低需要による停止などを行う際に残りの布製フィルタチャンバ３０が動作を続けられるように、布製フィルタシステム２６は複数の布製フィルタチャンバ３０を含む。主題の方法の一実施形態によれば、この方法は、ガス流ダンパシステム１００を有する布製フィルタシステム２６を備えることを含み、ガス流ダンパシステムは、各布製フィルタチャンバ３０の入口１０４および／または各布製フィルタチャンバ３０の出口１０６に配置された可動ダンパパネル１０２を含み、可動ダンパパネルは、布製フィルタバッグ３２の清掃から布製フィルタチャンバ３０内の布製フィルタバッグ３２の表面３２Ｂ上のダストケーキ形成ＤＣまでの期間中に、布製フィルタチャンバ３０を通る汚染ガスＰＧ速度を制御するように調整可能である。１つ以上の可動ダンパパネル１０２は、スライド、折り畳み、スイング、または他のそのような動作によって手動または機械的に調整されてもよい。機械的に調整される場合、１つ以上のダンパパネル１０２の調整は自動化され、制御装置５６によって生成される電子信号の影響を受けてもよい。そのような場合、制御装置５６は、布製フィルタバッグ３２の外面３２Ｂ上に捕集された粒子状物質ＰＭ／ダストケーキ形成ＤＣの除去のタイミングを決定する。制御装置５６は、例えば、タイマー５７によって測定された前回の除去から経過した時間の特定の長さ、布製フィルタバッグ３２の上流および／または下流で布製フィルタチャンバ３０内に配置された１つ以上の圧力センサ５８によって測定された布製フィルタチャンバ３０を通る汚染ガスＰＧ流の特定の圧力降下、および／または布製フィルタバッグ３２の上流および／または下流で布製フィルタチャンバ３０内に配置された１つ以上の温度センサ６０によって測定された特定の温度降下の所定値との比較に基づいて、そのような粒子状物質ＰＭ／ダストケーキ形成ＤＣの除去のタイミングを決定する。時間の長さ、圧力降下および／または温度降下の所定値は、例えばインターフェース７７を介してなど、制御装置５６にプログラムされるか、または制御装置５６に受信される。時間の所定値に対応する時間の長さが経過すると、制御装置５６は、１つ以上の布製フィルタチャンバ３０の清掃を電子的に通知する。１つ以上の布製フィルタチャンバ３０の清掃後、１つ以上の清掃済み布製フィルタチャンバ３０の動作前に、制御装置５６は、１つ以上の清掃済み布製フィルタチャンバ３０の１つ以上のダンパパネル１０２の調整に電子的に影響を与え、汚染ガスＰＧ速度に影響を与えて、汚染ガスＰＧの粒子状物質ＰＭ低排出濾過に有効な１つ以上の清掃済み布製フィルタチャンバ３０を通る約５ｍ／時間〜約５０ｍ／時間、または約１０ｍ／時間〜約４０ｍ／時間のガス速度を達成する。代替的または追加的に、圧力の所定値から逸脱する圧力降下を測定すると、制御装置５６は、１つ以上の布製フィルタチャンバ３０の清掃を電子的に通知する。１つ以上の布製フィルタチャンバ３０の清掃後、１つ以上の清掃済み布製フィルタチャンバ３０の動作前に、制御装置５６は、１つ以上の清掃済み布製フィルタチャンバ３０の１つ以上のダンパパネル１０２の調整に電子的に影響を与え、汚染ガスＰＧ速度に影響を与えて、汚染ガスＰＧの粒子状物質ＰＭ低排出濾過に有効な１つ以上の清掃済み布製フィルタチャンバ３０を通る約５ｍ／時間〜約５０ｍ／時間、または約１０ｍ／時間〜約４０ｍ／時間のガス速度を達成する。代替的または追加的に、温度の所定値から逸脱する温度降下を測定すると、制御装置５６は、１つ以上の布製フィルタチャンバ３０の清掃を電子的に通知する。１つ以上の布製フィルタチャンバ３０の清掃後、１つ以上の清掃済み布製フィルタチャンバ３０の動作前に、制御装置５６は、１つ以上の清掃済み布製フィルタチャンバ３０の１つ以上のダンパパネル１０２の調整に電子的に影響を与え、汚染ガスＰＧ速度に影響を与えて、汚染ガスＰＧの粒子状物質ＰＭ低排出濾過に有効な１つ以上の清掃済み布製フィルタチャンバ３０を通る約５ｍ／時間〜約５０ｍ／時間、または約１０ｍ／時間〜約４０ｍ／時間のガス速度を達成する。制御装置５６は、パルスバルブ５２の動作に電子的に影響を与えることにより１つ以上の布製フィルタチャンバ３０の清掃を電子的に通知し、結果として、ノズルパイプ４８を通り、流体接続されたパルスノズル５０を通り、布製フィルタチャンバ３０内の個々の布製フィルタバッグ３２に流れ込む加圧ガスＧの短いパルスを生成する。このような加圧ガスＧのパルスの効果として、布製フィルタバッグ３２は急速に膨張し、布製フィルタバッグ３２の外面３２Ｂ上の捕集された粒子状物質ＰＭまたはダストケーキ形成ＤＣは、分離された物質ＳＭとして全部ではないにしても大部分そこから放出され、ホッパ３６に捕集される。そのような清掃の後、機械的に調整される場合には、１つ以上のダンパパネル１０２の調整は自動化され、制御装置５６により生成される電子信号により影響を受けてもよい。自動化された１つ以上のダンパパネル１０２は、２つの異なる位置、すなわち、布製フィルタバッグ３２のダストケーキ形成ＤＣがない状態で使用されて約５ｍ／時間〜約５０ｍ／時間、または約１０ｍ／時間〜約４０ｍ／時間のガス速度を達成するための比較的遅いガス速度の位置と、布製フィルタバッグ３２のダストケーキ形成ＤＣがある状態で使用されて約４０ｍ／時間〜約１２０ｍ／時間、または約５０ｍ／時間〜約１３０ｍ／時間のガス速度を達成するための比較的速いガス速度の位置との間で調製され得る。あるいは、１つ以上の自動ダンパパネル１０２は、布製フィルタバッグ３２のダストケーキ形成ＤＣがない状態で使用されて約５ｍ／時間〜約５０ｍ／時間、または約１０ｍ／時間〜約４０ｍ／時間のガス速度を達成するための比較的遅いガス速度の位置から、布製フィルタバッグ３２のダストケーキ形成ＤＣがある状態で使用されて約４０ｍ／時間〜約１２０ｍ／時間、または約５０ｍ／時間〜約１３０ｍ／時間のガス速度を達成するための比較的速いガス速度の位置までの範囲の任意の位置に、布製フィルタバッグ３２のダストケーキ形成ＤＣが厚くなるにつれて、連続的または断続的に調整されてもよい。布製フィルタバッグ３２のダストケーキ形成ＤＣのそのような肥厚は、例えば時間により、圧力降下により、および／または温度降下により測定することができる。そのような布製フィルタバッグ３２のダストケーキ形成ＤＣの測定値に基づいて、１つ以上の自動ダンパパネル１０２は、布製フィルタバッグ３２のダストケーキ形成ＤＣがない状態で使用されて約５ｍ／時間〜約５０ｍ／時間、または約１０ｍ／時間〜約４０ｍ／時間のガス速度のための比較的遅いガス速度の位置から、布製フィルタバッグ３２にダストケーキ形成ＤＣがある状態で使用されて約４０ｍ／時間〜約１２０ｍ／時間、または約５０ｍ／時間〜約１３０ｍ／時間のガス速度のための比較的速いガス速度の位置までの範囲の任意の位置に連続的または断続的に調整される。
【００２１】
ガス流ダンパシステム１００を備えた布製フィルタシステム２６を使用する主題の方法によれば、制御装置５６は布製フィルタチャンバ３０の清掃に影響を与え、１つ以上のダンパパネル１０２の位置決めに影響を与える。布製フィルタチャンバ３０の清掃から布製フィルタバッグ３２のダストケーキ形成ＤＣまでの期間、入口１０４および／または出口１０６の１つ以上のダンパパネル１０２は、布製フィルタチャンバ３０を通る約５ｍ／時間〜約５０ｍ／時間、または約１０ｍ／時間〜約４０ｍ／時間の比較的遅い汚染ガスＰＧ流速を達成するために比較的閉じた位置に位置決めされる。汚染ガスＰＧ流速が比較的遅い場合、外面３２Ｂのダストケーキ形成ＤＣがない布製フィルタバッグ３２は、約４０ｍ／時間〜約１２０ｍ／時間、または約５０ｍ／時間〜約１３０ｍ／時間の比較的速い汚染ガスＰＧ流速で外面３２Ｂのダストケーキ形成ＤＣがある布製フィルタバッグ３２と同じくらい、汚染ガスＰＧから粒子状物質ＰＭを分離するのに効果的である。ダストケーキ形成ＤＣが布製フィルタバッグ３２の外面３２Ｂ上に構築または厚くなるにつれて、１つ以上のダンパパネル１０２を比較的より開いた位置に徐々に再配置して、布製フィルタチャンバ３０を通る汚染ガスＰＧ流速を速めることができる。あるいは、ダストケーキ形成ＤＣが布製フィルタバッグ３２の外面３２Ｂ上に構築または厚くなると、１つ以上のダンパパネル１０２を比較的閉じた位置から比較的開いた位置に直接再配置して、布製フィルタチャンバ３０を通る汚染ガスＰＧ流速を速めることができる。布製フィルタバッグ３２の外面３２Ｂ上にダストケーキ形成ＤＣがない布製フィルタチャンバ３０を通る汚染ガスＰＧ流速は、約５ｍ／時〜約５０ｍ／時、または約１０ｍ／時〜約４０ｍ／時である。布製フィルタチャンバ３０の清掃を必要とする望ましくない厚いダストケーキ形成ＤＣによる圧力降下までに布製フィルタチャンバ３０を通る汚染ガスＰＧ流速は、約４０ｍ／時間〜約１２０ｍ／時間、または約５０ｍ／時間〜約１３０ｍ／時間である。さらに、１つ以上のダンパパネル１０２は、布製フィルタチャンバ３０の清掃またはメンテナンスなどの目的で、完全に閉じた位置に位置決めされてもよい。
【００２２】
要約すると、１つ以上の布製フィルタチャンバ３０を含み、各布製フィルタチャンバ３０が複数の布製フィルタバッグ３２と、１つ以上の可動ダンパパネル１０２を備えた入口１０４および／または１つ以上の可動ダンパパネル１０２を備えた出口１０６と、１つ以上の布製フィルタバッグ３２のダストケーキ形成ＤＣの測定値に少なくとも部分的に基づいて１つ以上のダンパパネル１０２の位置決めに影響を与えるように動作する制御装置５６とを含む、布製フィルタシステム２６を含むプラント１０が提供される。したがって、１つ以上の布製フィルタバッグ３２のダストケーキ形成ＤＣの測定値は、タイマー５７、１つ以上の圧力センサ５８、または１つ以上の温度センサ６０によって測定される。１つ以上の布製フィルタバッグ３２のダストケーキ形成ＤＣの測定値は、布製フィルタシステム２６内に配置された複数の布製フィルタバッグ３２を通る汚染ガスＰＧの一般的な流れに関して上流および／または下流で１つ以上の布製フィルタチャンバ３０内に配置された１つ以上のセンサ５８、６０によって測定される。布製フィルタシステム２６の制御装置５６は、入口１０４から出口１０６まで１つ以上の布製フィルタチャンバ３０を通って流れる汚染ガスＰＧ速度を制御するために、１つ以上のダンパパネル１０２の位置決めに影響を与える。したがって、１つ以上のダンパパネル１０２は、複数の布製フィルタバッグ３２の清掃から複数の布製フィルタバッグ３２の外面３２Ｂ上のダストケーキ形成ＤＣまでの期間に１つ以上の布製フィルタチャンバ３０を通って流れる約５ｍ／時〜約５０ｍ／時、または約１０ｍ／時〜約４０ｍ／時の汚染ガスＰＧ速度のために比較的閉じた位置に位置決めされる。さらに、１つ以上のダンパパネル１０２は、複数の布製フィルタバッグ３２の外面３２Ｂ上のダストケーキ形成ＤＣから複数の布製フィルタバッグ３２の清掃までの期間に１つ以上の布製フィルタチャンバ３０を通って流れる約４０ｍ／時〜約１２０ｍ／時、または約５０ｍ／時〜約１３０ｍ／時の汚染ガスＰＧ速度のために比較的開いた位置に位置決めされる。１つ以上のダンパパネル１０２は、複数の布製フィルタバッグ３２の清掃中に１つ以上の布製フィルタチャンバ３０を流れるほぼゼロの汚染ガスＰＧ速度のために閉位置に位置決めされる。
【００２３】
要約すると、汚染ガスＰＧを浄化して、生成された浄化ガスＣＧ中の比較的少ない粒子状物質ＰＭ排出を実現するために、プラント１０布製フィルタシステム２６を使用する方法が提供される。この方法は、１つ以上の布製フィルタチャンバ３０を含み、各布製フィルタチャンバ３０が複数の布製フィルタバッグ３２と、入口１０４および／または出口１０６に１つ以上の可動ダンパパネル１０２を有する入口１０４および出口１０６とを含む、布製フィルタシステム２６を備えることと、１つ以上の布製フィルタバッグ３２のダストケーキ形成ＤＣ測定値に少なくとも部分的に基づいて１つ以上のダンパパネル１０２を位置決めする制御装置５６を使用して制御することとを含む。そのような方法によれば、１つ以上の布製フィルタバッグ３２のダストケーキ形成ＤＣの測定値は、タイマー５７、１つ以上の圧力センサ５８、または１つ以上の温度センサ６０によって測定される。１つ以上の布製フィルタバッグ３２のダストケーキ形成ＤＣの測定値は、布製フィルタシステム２６内に配置された複数の布製フィルタバッグ３２を通る汚染ガスＰＧの一般的な流れに関して上流および／または下流で１つ以上の布製フィルタチャンバ３０内に配置された１つ以上のセンサ５８、６０によって測定される。布製フィルタシステム２６の制御装置５６は、入口１０４から出口１０６まで１つ以上の布製フィルタチャンバ３０を通って流れる汚染ガスＰＧ速度を制御するために、１つ以上のダンパパネル１０２の位置決めに影響を与える。したがって、１つ以上のダンパパネル１０２は、複数の布製フィルタバッグ３２の清掃から複数の布製フィルタバッグ３２の外面３２Ｂ上のダストケーキ形成ＤＣまでの期間に１つ以上の布製フィルタチャンバ３０を通って流れる約５ｍ／時〜約５０ｍ／時、または約１０ｍ／時〜約４０ｍ／時の汚染ガスＰＧ速度のために比較的閉じた位置に位置決めされ、複数の布製フィルタバッグ３２の清掃中に１つ以上の布製フィルタチャンバ３０を通って流れるほぼゼロの汚染ガスＰＧ速度のために閉位置に位置決めされる。さらに、１つ以上のダンパパネル１０２は、複数の布製フィルタバッグ３２の外面３２Ｂ上のダストケーキ形成ＤＣから複数の布製フィルタバッグ３２の清掃までの期間に１つ以上の布製フィルタチャンバ３０を通って流れる約４０ｍ／時〜約１２０ｍ／時、または約５０ｍ／時〜約１３０ｍ／時の汚染ガスＰＧ速度のために比較的開いた位置に位置決めされる。
【００２４】
本明細書では好ましい実施形態を例示し説明したが、本開示の趣旨および範囲から逸脱することなく、様々な改変および代替をそれらに加えることができる。したがって、本開示は、限定ではなく例示として説明されていることを理解されたい。
【００２５】
［実施態様１］
１つ以上の布製フィルタチャンバ（３０）を含み、各布製フィルタチャンバ（３０）が複数の布製フィルタバッグ（３２）と、１つ以上の可動ダンパパネル（１０２）を備えた入口（１０４）または１つ以上の可動ダンパパネル（１０２）を備えた出口（１０６）と、１つ以上の布製フィルタバッグ（３２）のダストケーキ形成（ＤＣ）の測定値に少なくとも部分的に基づいて前記１つ以上のダンパパネル（１０２）の位置決めに影響を与えるように動作する制御装置（５６）とを含む、布製フィルタシステム（２６）
を特徴とするプラント（１０）。
【００２６】
［実施態様２］
前記１つ以上の布製フィルタバッグ（３２）のダストケーキ形成（ＤＣ）の測定値は、タイマー（５７）、１つ以上の圧力センサ（５８）または１つ以上の温度センサ（６０）によって測定される、実施態様１に記載のプラント（１０）。
【００２７】
［実施態様３］
前記１つ以上の布製フィルタバッグ（３２）のダストケーキ形成（ＤＣ）の測定値が、１つ以上の布製フィルタチャンバ（３０）内に配置された１つ以上のセンサ（５８、６０）によって測定される、実施態様１または２に記載のプラント（１０）。
【００２８】
［実施態様４］
前記１つ以上の布製フィルタバッグ（３２）のダストケーキ形成（ＤＣ）の測定値は、前記複数の布製フィルタバッグ（３２）の上流または下流で前記１つ以上の布製フィルタチャンバ（３０）内に配置された１つ以上のセンサ（５８、６０）によって測定される、実施態様１乃至３のいずれか１項に記載のプラント（１０）。
【００２９】
［実施態様５］
前記制御装置（５６）は、前記入口（１０４）から前記出口（１０６）まで前記１つ以上の布製フィルタチャンバ（３０）を通って流れる汚染ガス（ＰＧ）の速度を制御するために、前記１つ以上のダンパパネル（１０２）の位置決めに影響を与える、実施態様１乃至４のいずれか１項に記載のプラント（１０）。
【００３０】
［実施態様６］
前記１つ以上のダンパパネル（１０２）は、前記複数の布製フィルタバッグ（３２）の清掃から前記複数の布製フィルタバッグ（３２）の外面（３２Ｂ）上のダストケーキ形成（ＤＣ）までの期間に前記１つ以上の布製フィルタチャンバ（３０）を通って流れる約５ｍ／時〜約５０ｍ／時、または約１０ｍ／時〜約４０ｍ／時の汚染ガス（ＰＧ）速度のために、比較的閉じた位置に位置決めされる、実施態様１乃至５のいずれか１項に記載のプラント（１０）。
【００３１】
［実施態様７］
前記１つ以上のダンパパネル（１０２）は、前記複数の布製フィルタバッグ（３２）の外面（３２Ｂ）上のダストケーキ形成（ＤＣ）から前記複数の布製フィルタバッグ（３２）の清掃までの期間に前記１つ以上の布製フィルタチャンバ（３０）を通って流れる約４０ｍ／時〜約１２０ｍ／時、または約５０ｍ／時〜約１３０ｍ／時の汚染ガス（ＰＧ）速度のために、比較的開いた位置に位置決めされる、実施態様１乃至６のいずれか１項に記載のプラント（１０）。
【００３２】
［実施態様８］
前記１つ以上のダンパパネル（１０２）は、前記複数の布製フィルタバッグ（３２）の清掃中に前記１つ以上の布製フィルタチャンバ（３０）を通って流れるほぼゼロの汚染ガス（ＰＧ）速度のために閉位置に位置決めされる、実施態様１乃至７のいずれか１項に記載のプラント（１０）。
【００３３】
［実施態様９］
１つ以上の布製フィルタチャンバ（３０）を含み、各布製フィルタチャンバ（３０）が複数の布製フィルタバッグ（３２）と、１つ以上の可動ダンパパネル（１０２）を有する入口（１０４）および出口（１０６）とを含む、布製フィルタシステム（２６）を備えることと、
１つ以上の布製フィルタバッグ（３２）のダストケーキ形成（ＤＣ）の測定値に少なくとも部分的に基づいて前記１つ以上のダンパパネル（１０２）を位置決めする制御装置（５６）を使用して制御することと
を含む方法。
【００３４】
［実施態様１０］
前記１つ以上の布製フィルタバッグ（３２）ダストケーキ形成（ＤＣ）の測定値は、タイマー（５７）、１つ以上の圧力センサ（５８）または１つ以上の温度センサ（６０）によって測定される、実施態様９に記載の方法。
【００３５】
［実施態様１１］
前記１つ以上の布製フィルタバッグ（３２）のダストケーキ形成（ＤＣ）の測定値は、前記１つ以上の布製フィルタチャンバ（３０）内に配置された１つ以上のセンサ（５８、６０）によって測定される、実施態様９または１０に記載の方法。
【００３６】
［実施態様１２］
前記１つ以上の布製フィルタバッグ（３２）のダストケーキ形成（ＤＣ）の測定値は、前記複数の布製フィルタバッグ（３２）の上流または下流で前記１つ以上の布製フィルタチャンバ（３０）内に配置された１つ以上のセンサ（５８、６０）によって測定される、実施態様９乃至１１のいずれか１項に記載の方法。
【００３７】
［実施態様１３］
前記制御装置（５６）は、前記入口（１０４）から前記出口（１０６）まで前記１つ以上の布製フィルタチャンバ（３０）を通って流れる汚染ガス（ＰＧ）の速度を制御するために、前記１つ以上のダンパパネル（１０２）の位置決めに影響を与える、実施態様９乃至１２のいずれか１項に記載の方法。
【００３８】
［実施態様１４］
前記１つ以上のダンパパネル（１０２）は、前記複数の布製フィルタバッグ（３２）の清掃から前記複数の布製フィルタバッグ（３２）の外面（３２Ｂ）上のダストケーキ形成（ＤＣ）までの期間に前記１つ以上の布製フィルタチャンバ（３０）を通って流れる約５ｍ／時〜約５０ｍ／時、または約１０ｍ／時〜約４０ｍ／時の汚染ガス（ＰＧ）速度のために比較的閉じた位置に位置決めされ、前記複数の布製フィルタバッグ（３２）の清掃中に前記１つ以上の布製フィルタチャンバ（３０）を通って流れるほぼゼロの汚染ガス（ＰＧ）速度のために閉位置に位置決めされる、実施態様９乃至１３のいずれか１項に記載の方法。
【００３９】
［実施態様１５］
前記１つ以上のダンパパネル（１０２）は、前記複数の布製フィルタバッグ（３２）の外面（３２Ｂ）上のダストケーキ形成（ＤＣ）から前記複数の布製フィルタバッグ（３２）の清掃までの期間に前記１つ以上の布製フィルタチャンバ（３０）を通って流れる約４０ｍ／時〜約１２０ｍ／時、または約５０ｍ／時〜約１３０ｍ／時の汚染ガス（ＰＧ）速度のために、比較的開いた位置に位置決めされる、実施態様９乃至１４のいずれか１項に記載の方法。
【符号の説明】
【００４０】
１０  プラント
１２  燃焼ユニット
１２Ａ  流体接続導管
１２Ｂ  内部領域
１４  ガス供給部
１４Ａ  流体接続供給管
１６  燃料供給部
１６Ａ  流体接続燃料ダクト
１８  乾燥煙道ガス脱硫ＤＦＧＤシステム
１８Ａ  ダクト
２０  アトマイザ、ＤＦＧＤシステム
２２  試薬供給源
２２Ａ  ダクト
２４  液体供給源
２６  布製フィルタシステム
２８  ハウジング
２８Ａ  内部領域
３０  布製フィルタチャンバ
３２  吊り下げ式布製フィルタバッグ
３２Ａ  布
３２Ｂ  外面、表面
３４  底部
３６  ホッパ
３６Ａ  出口
３８  水平板
４０  開口部
４２  上部
４４  ダクト
４６  スタック
４８  ノズルパイプ
５０  パルスノズル
５２  パルスバルブ
５４  圧力容器
５６  制御装置
５７  タイマー
５８  圧力センサ
６０  温度センサ
７７  インターフェース
１００  ガス流ダンパシステム
１０２  ダンパパネル
１０４  入口
１０６  出口
ＣＧ  浄化ガス、煙道ガス
ＤＣ  ダストケーキ形成
Ｆ  炭素質燃料
ＦＧ  煙道ガス
Ｇ  加圧ガス
Ｌ  液体
Ｏ  酸素含有ガス
ＰＧ  汚染ガス
ＰＭ  粒子状物質
Ｒ  試薬
ＲＰ  乾燥粉末反応生成物
ＲＳ  試薬スラリー
ＳＭ  物質
【図１】
2020520791.tif 000003
【国際調査報告】
2020520791.tif 000004
2020520791.tif 000005
2020520791.tif 000006